(57)【要約】【課題】インターネットを、効果的にコマーシャルを放送するメディアとすること。【解決手段】本考案のインターネット接続装置は、電子装置がインターネットに接続する権限を管理するとともに、インターネット接続装置を介してインターネットに接続する電子装置にコマーシャル情報を送出する。権限を管理して、コマーシャル情報を送出することにより、本考案では、コマーシャル情報を効果的に使用者に受け取らせて、コマーシャル効果を達成するものである。【選択図】図１
0003139728.tif 000002
【実用新案登録請求の範囲】
【請求項１】
電子装置をインターネットに接続するためのインターネット接続装置であって、
前記電子装置が前記インターネットに接続する権限を管理するためのゲート装置と、
前記ゲート装置を介してインターネットに接続されている電子装置にコマーシャル情報を伝送するコマーシャル送信装置と、を備えたことを特徴とするインターネット接続装置。
【請求項２】
前記コマーシャル送信装置が、前記コマーシャル情報を生成するコマーシャルサーバを更に備えたことを特徴とする請求項１に記載のインターネット接続装置。
【請求項３】
前記コマーシャル送信装置が前記ゲート装置に内蔵されていることを特徴とする請求項２に記載のインターネット接続装置。
【請求項４】
前記コマーシャル情報が、遠隔地のコマーシャルサーバにより生成されるとともに、前記コマーシャル送信装置に伝送されることを特徴とする請求項１に記載のインターネット接続装置。
【請求項５】
前記コマーシャル情報を表示するディスプレイを更に備えたことを特徴とする請求項１に記載のインターネット接続装置。
【請求項６】
前記コマーシャル情報が、リダイレクションページ、フレーム、フリーフロートサブウインドウ、フェードアウトサブウインドウ、インタラクティブ広告およびその組み合わせのうちの一つの形式を持っていることを特徴とする請求項１に記載のインターネット接続装置。
【請求項７】
前記コマーシャル送信装置が使用者の嗜好設定を生成し、前記コマーシャル送信装置が前記嗜好設定に応じて、設定された伝送タイミング、再生時間およびデータ容量で、前記コマーシャル情報を、前記ゲート装置を介して前記インターネットに接続されている電子装置に伝送することを特徴とする請求項１に記載のインターネット接続装置。
【請求項８】
前記コマーシャル送信装置が、前記コマーシャル情報の所定伝送量を統計するとともに、前記伝送量に基づいて許可情報を生成することを特徴とする請求項１に記載のインターネット接続装置。
【請求項９】
前記ゲート装置が、この許可情報に基づいて前記権限を調整することを特徴とする請求項８に記載のインターネット接続装置。
【請求項１０】
前記所定伝送が特定のパラメータを含み、前記パラメータが前記コマーシャル情報のデータ容量および再生時間のうちの一つを含むことを特徴とする請求項８に記載のインターネット接続装置。
【請求項１１】
前記コマーシャル送信装置が、前記許可情報に基づいて証明書を送出することを特徴とする請求項８に記載のインターネット接続装置。
【請求項１２】
前記証明書が、識別バーコード、識別パスワード、割引券およびその組み合わせのグループから選ばれるものであることを特徴とする請求項１１に記載のインターネット接続装置。
【請求項１３】
前記コマーシャル送信装置が、前記許可情報に基づいて実体のある証明書を送出することを特徴とする請求項８に記載のインターネット接続装置。
【請求項１４】
前記実体のある証明書が、識別バーコード、識別パスワード、割引券およびその組み合わせのグループから選ばれるものであることを特徴とする請求項１３に記載のインターネット接続装置。
【請求項１５】
前記ゲート装置が、前記電子装置がインターネットに接続する前記権限を含む管理情報を生成することができ、前記コマーシャル送信装置が前記管理情報に基づいて、前記コマーシャル情報を伝送することができることを特徴とする請求項１に記載のインターネット接続装置。
【請求項１６】
電子装置をインターネットに接続するためのインターネット接続装置であって、
前記電子装置に伝送したコマーシャル情報における少なくとも一つの特定のパラメータを統計するとともに、前記少なくとも一つの特定のパラメータが所定の閾条件に達したことを確認するコマーシャル送信手段と、
前記電子装置が前記インターネット接続装置を介して前記インターネットに接続することを許可するゲート手段とを備えたことを特徴とするインターネット接続装置。
【請求項１７】
前記コマーシャル送信手段が、前記インターネット接続装置に内蔵されたコマーシャルサーバから、前記電子装置に伝送されるコマーシャル情報を統計することを特徴とする請求項１６に記載のインターネット接続装置。
【請求項１８】
前記コマーシャル送信手段が、遠隔地に設置されたコマーシャルサーバから、前記電子装置に伝送されるコマーシャル情報を統計することを特徴とする請求項１６に記載のインターネット接続装置。
【請求項１９】
前記コマーシャル情報を表示する表示手段を更に備えたことを特徴とする請求項１６に記載のインターネット接続装置。
【請求項２０】
前記コマーシャル送信手段が更に、予め設定された使用者の嗜好設定に基づいて、前記電子装置に前記コマーシャル情報を挿入することを特徴とする請求項１６に記載のインターネット接続装置。
【請求項２１】
前記コマーシャル送信手段が、前記電子装置へのコマーシャル情報の伝送量が前記所定の閾条件に達したのを更に統計することを特徴とする請求項１６に記載のインターネット接続装置。
【請求項２２】
前記コマーシャル送信手段が更に、前記電子装置が前記インターネット接続装置を介して、前記インターネットに接続することを許可する前に、証明書を生成することを特徴とする請求項２１に記載のインターネット接続装置。
【請求項２３】
前記ゲート手段が更に、前記電子装置がインターネットに接続する許可状態を確認するための管理情報を生成し、前記コマーシャル送信手段が、更に前記管理情報に基づいて、更新したコマーシャル情報を前記電子装置に伝送することを特徴とする請求項１６に記載のインターネット接続装置。
【請求項２４】
前記ゲート手段が、前記電子装置がインターネットに接続する前記権限を含む管理情報を生成することができ、前記コマーシャル送信手段が前記管理情報に基づいて、前記コマーシャル情報を伝送することができることを特徴とする請求項１６に記載のインターネット接続装置。
【請求項２５】
前記コマーシャル送信手段が更に、予め設定された使用者の嗜好設定に基づいて、前記電子装置に前記コマーシャル情報を挿入することを特徴とする請求項２４に記載のインターネット接続装置。
【考案の詳細な説明】
【技術分野】
【０００１】
本考案はインターネット接続装置（Ｉｎｔｅｒｎｅｔ  Ａｃｃｅｓｓ  Ａｐｐａｒａｔｕｓ）に関し、特にゲート装置およびコマーシャル送信装置を結合したインターネット接続装置に関する。
【背景技術】
【０００２】
インターネットのカバー率が徐々に増加するに伴い、人々はインターネットを介して、例えば、サーチエンジンを用いてデータを検索したり、電子メールで情報を送受信したり、ネット銀行で金融取引を行うという具合に、各種の情報を検索および取得するのが習慣化しつつある。したがって、インターネットはすでに日常生活において不可欠な一部となりつつある。
【０００３】
インターネットでは即時的な情報を大量に発信できる特性を備えていることから、インターネットが日増しに流行しつつある今、インターネットはコマーシャル情報を放送するメディアとしても利用され始めている。視聴者が番組放送の合間にコマーシャルを見るか、その他のチャンネルに切り換えて他の番組を見るかしなければならず、コマーシャルを省略することはできないというテレビのチャンネルとは異なり、インターネットの使用者はコマーシャルのウインドウを自主的に閉じることでコマーシャルを省いて、引き続きインターネットを使用する目的を実行できる。一方で、使用者はインターネットに接続する権限を取得しなければ、インターネットを使用することができない。一般的には、使用者が周期的または一時的にインターネットを使用するのかに関わらず、使用者は金銭を支払うことによりインターネットを使用する権限を取得することになる。上記のような場合、使用者がインターネットを使用するときに、一度コマーシャルのウインドウが現われても、すぐこれを閉じてしまい、その内容が無視されてしまうことが多く起こる。または放送したコマーシャルの情報が使用者の嗜好に合わなければ、そのコマーシャル効果は損なわれてしまう。
【０００４】
したがって、インターネットに接続する権限をいかに管理して、インターネットを、効果的にコマーシャルを放送するメディアとするか、ということはこの分野の産業界において努力が待たれる目標となっている。
【考案の開示】
【考案が解決しようとする課題】
【０００５】
本考案の目的は、インターネット接続装置であって、電子装置がインターネットに接続する権限を管理することにより、前記インターネット接続装置を介して前記インターネットに接続する電子装置にコマーシャル情報を伝送するインターネット接続装置を提供するところにある。前記権限を管理して、前記コマーシャル情報を伝送することにより、前記コマーシャル情報を効果的に使用者に受け取らせて、コマーシャル効果を達成するものである。同時に、前記電子装置に伝送した前記コマーシャル情報における少なくとも一つの特定のパラメータを統計して、前記少なくとも一つの特定のパラメータが所定の閾条件に達したことを確認することで、前記電子装置が前記インターネット接続装置を介して前記インターネットに接続することを許可するものである。
【課題を解決するための手段】
【０００６】
上記目的を達成するために、本考案では、電子装置がインターネットに接続する権限を管理するためのゲート装置と、前記電子装置にコマーシャル情報を伝送するコマーシャル送信装置とを備え、まず前記電子装置に前記コマーシャル情報を伝送した後、使用者が前記インターネットに接続する前記権限を取得して、使用者の嗜好設定に基づいて、前記コマーシャル情報を送信し、コマーシャル効果を達成するインターネット接続装置を開示している。
【０００７】
本考案では、前記電子装置に伝送したコマーシャル情報における少なくとも一つの特定のパラメータを統計するとともに、前記少なくとも一つの特定のパラメータが所定の閾条件に達したことを確認するコマーシャル送信手段（ｍｅａｎｓ）と、前記電子装置が前記インターネット接続装置を介して前記インターネットに接続することを許可するゲート手段（ｍｅａｎｓ）とを備えたインターネット接続装置も開示している。
【考案を実施するための最良の形態】
【０００８】
本考案の上記目的、技術的特徴および長所がより理解しやすくするために、下記にて好ましい実施例に図面を併せて詳細な説明を行う。
【実施例】
【０００９】
下記において、実施例により本考案の内容を説明する。本考案は電子装置がインターネットに接続する権限を管理し、前記電子装置にコマーシャル情報を伝送するインターネット接続装置に関する。しかしながら、本考案の実施例は、本考案が実施例にて述べる何らかの特定の環境、応用または特殊な方式で始めて実施されることを限定するためのものではない。したがって、実施例に関する説明は単に本考案の目的を説明するのみで、本考案を限定するためのものではない。なお、以下の実施例および図面において、本考案と直接に関係するものではない構成要素は省略して図示はしておらず、また理解しやすくするために、各構成要素の間のサイズの関係は多少誇大な比率で図示してある。
【００１０】
図１を参照すると、本考案のインターネット接続装置は、ゲート手段と、コマーシャル送信手段とを備えており、以下の実施例においては、ゲート装置１２１を例としてゲート手段を説明するとともに、コマーシャル送信装置１２２を例としてコマーシャル送信手段を説明している。図１は電子装置１１が本考案のインターネット接続装置１２を介してインターネット１３に接続されている概略図である。電子装置１１は、例えばパーソナルコンピュータ、携帯電話機、ＰＤＡなどといった有線または無線のネットワーク接続機能を備えた一般的な電子装置であるが、本考案を限定するものではない。インターネット接続装置１２はゲート装置１２１と、コマーシャル送信装置１２２とを備えており、ゲート装置１２１は、電子装置１１がインターネット１３に接続する権限を管理するためのものであり、つまり電子装置１１はゲート装置１２１を介して始めてインターネット１３に接続されることを意味しており、しかもゲート装置１２１は、電子装置１１のインターネット１３への接続におけるログオン、中断、バンド、データのアップロード、データのダウンロードなどの権限を管理している。コマーシャル送信装置１２２はゲート装置１２１を介してインターネット１３に接続されている電子装置１１にコマーシャル情報１０１を伝送するためのものである。
【００１１】
続いて、コマーシャル情報１０１はコマーシャルサーバ１４にて生成されるものであり、本実施例では、コマーシャルサーバ１４は遠隔地に設置され、コマーシャル情報１０１が生成された後、コマーシャル送信装置１２２に伝送されて、その後電子装置１１にて、コマーシャル送信装置１２２が伝送したコマーシャル情報１０１が再生される。コマーシャル情報１０１は、リダイレクション（ｒｅｄｉｒｅｃｔｉｏｎ）ページ、フレーム（ｆｒａｍｅ）、フリーフロート（ｆｒｅｅ  ｆｌｏａｔ）サブウインドウ、フェードアウト（ｆａｄｅ  ｏｕｔ）サブウインドウおよびインタラクティブ広告（ｉｎｔｅｒａｃｔｉｖｅ  ａｄｖｅｒｔｉｓｉｎｇ）のうちの一つの形式を持っている。概略は下記する。
【００１２】
リダイレクションページは、使用者の閲覧のために新しいウェブページを開くものである。フレームは、インラインの方式でコマーシャル情報を使用者が現在見ているウェブページに表示するものである。フリーフロートサブウインドウは、使用者がカーソルを操作することでコマーシャル情報のサブウインドウを表示画面の一箇所に任意に配置させるとともに、サブウインドウのサイズの調整やウインドウを閉じることができるようにしたものである。フェードアウトサブウインドウは、コマーシャル情報を所定時間表示するか、データ容量だけ表示した後に、サブウインドウが徐々に淡くなっていき消えるものである。インタラクティブ広告は、使用者が、表示するコマーシャル情報１０１に対して、例えばアンケートに答える、またはゲームを完了するといったある動作を行うことを要求して、その後インターネット接続装置１２が使用者の動作に応じて後続の処理を行うというものである。詳細は下記を参照されたい。なお、上記した各コマーシャル情報の形式は、例えば使用者が現在見ているウェブページにフレームおよびフリーフロートサブウインドウを同時に表示するという具合に同時に再生または組み合わせて再生することもでき、本考案の適用範囲を限定するためものではない。
【００１３】
ゲート装置１２１は使用者の嗜好設定を生成することができ、コマーシャル送信装置１２２は嗜好設定に応じて、設定された伝送タイミング、再生時間およびデータ容量で、コマーシャル情報１０１を、ゲート装置１２１を介してインターネット１３に接続されている電子装置１１に伝送する。例えば、使用者が、例えば自動車のウェブページというように同類のウェブページを引き続き閲覧するときには、ゲート装置１２１はこれに基づいて使用者の嗜好設定を生成した後、コマーシャル送信装置１２２が嗜好設定に基づいて、所定の方式で自動車のコマーシャルを電子装置１１で再生させて、使用者にこれを閲覧させることができる。他の実施例においては、例えば空港に設置されている場合など、インターネット接続装置１２が設置されている場所に応じて、使用者の嗜好設定を生成し、コマーシャル送信装置１２２は嗜好設定に基づいて、所定の方式でコマーシャルを電子装置１１にて再生させることもできる。
【００１４】
インターネット接続装置１２は、使用者がまず所定伝送量のコマーシャル情報１０１を閲覧した後に、この伝送量に基づいて許可情報を生成するように設計することができる。例えば、使用者がまだインターネットに接続していないとき、コマーシャル送信装置１２２はコマーシャルの送信を開始して、その後コマーシャル送信装置１２２はコマーシャル情報１０１の所定伝送量を統計する。所定伝送量は特定のパラメータを含み、コマーシャル情報１０１のデータ容量および再生時間のうちの一つを含んでいる。つまり伝送量が一定のページ数、容量、または時間に達したとき、コマーシャル送信装置１２２はこの伝送量に基づいて許可情報を生成することを意味している。また例えば、使用者がインタラクティブ広告を終了した後、コマーシャル送信装置１２２は許可信号を生成する。このとき、許可情報は使用者がインターネットに接続することを許可するためのものであり、この後ゲート装置１２１は、使用者がインターネットに接続できるようにするため、この許可情報に基づいて使用者の権限を調整する。
【００１５】
インターネット接続装置１２は、使用者がインターネットに接続した後で、まず所定の伝送量のコマーシャル情報１０１を閲覧した後でなければ、この伝送量に基づいて上記のような許可情報を生成しないか、または使用者がインタラクティブ広告を終了した後でなければ、上記のような許可情報を生成しないように設計してもよい。このとき許可情報は、ゲート装置１２１が、使用者が引き続き接続を希望するウェブページに接続することを許可するためのものである。
【００１６】
他の実施例において、コマーシャル送信装置１２２は許可情報に基づいて証明書を送出する。証明書は電子装置に表示することができる。証明書は、識別バーコード、識別パスワード、割引券およびその組み合わせのグループから選ばれる。例えば、証明書が割引券である場合、使用者は電子装置に表示されているこの割引券により、買い物をする際に割引を受けることができる。
【００１７】
また他の実施例において、コマーシャル送信装置１２２は許可情報に基づいて、実体のある証明書を送出する。証明書は、識別バーコード、識別パスワード、割引券およびその組み合わせのグループから選ばれる。例えば、実体のある証明書が割引券である場合、使用者はこの割引券を印刷することで、買い物をする際に割引を受けることができる。
【００１８】
また他の実施例において、コマーシャル送信装置１２２は、電子装置１１がインターネットに接続された後に、初めて電子装置１１にてコマーシャル情報１０１の送信を開始する。この実施例においては、ゲート装置１２１は電子装置１１がインターネットに接続する権限を含む管理情報を生成することができ、コマーシャル送信装置１２２はこの管理情報に基づいてコマーシャル情報１０１を伝送する。これは、例えばインターネット使用料金を支払い済みの使用者が、インターネットに接続する前にコマーシャル情報の受信を開始するのを防止している。
【００１９】
上記したすべての実施例において、コマーシャル送信装置１２２はゲート装置１２１に内蔵してもよく、同時にコマーシャル送信装置１２２は、コマーシャル情報１０１を生成するためのコマーシャルサーバ１４を備えてもよい。インターネット接続装置１２は、コマーシャル情報１０１を表示するためのディスプレイを備えてもよい。このディスプレイを備えたインターネット接続装置１２は、コマーシャル送信の目的を達成するために、公共の場所に設置することができる。
【００２０】
図２は、電子装置がインターネット接続装置を介してインターネットに接続できるようにする、本考案におけるインターネット接続装置の動作実施例のフローチャートである。本実施例において、電子装置がインターネットに接続される前に、まずコマーシャル送信装置からのコマーシャル情報を受け取る必要がある。まず、ステップ２０１において、電子装置に伝送するコマーシャル情報における少なくとも一つの特定のパラメータを統計して、上記少なくとも一つの特定のパラメータが所定の閾条件に達したことを確認する。次に、ステップ２０２において、電子装置がインターネット接続装置を介してインターネットに接続することを許可する。そしてステップ２０３において、予め設定された使用者の嗜好設定に基づいて、電子装置にコマーシャル情報を挿入する。そしてステップ２０４において、電子装置がインターネットに接続する許可状態を確認するための管理情報を生成する。最後に、ステップ２０５において、管理情報に基づいて、更新したコマーシャル情報を電子装置に伝送する。なお、上記ステップの順序は単に実施例に過ぎず、本考案を限定するためのものではない。例えば、ステップ２０４および２０５はステップ２０３の前に実施してもよい。
【００２１】
詳細には、ステップ２０１にて統計される特定のパラメータはコマーシャル情報のデータ容量および再生時間のうちの一つとすることができる。本実施例において、ステップ２０１を実行して、電子装置へのコマーシャル情報の伝送量が所定の閾条件に達したことを確認するが、コマーシャル情報の再生データ容量または再生時間が所定の閾条件を超えた後にようやく、電子装置がインターネット接続装置を介してインターネットに接続できるような許可を取得することができるようにすることで、コマーシャル情報が電子装置により見られるという効果を確保することができる。上記のように、所定の閾条件はデータ容量または時間とすることができる。さらに言えば、ステップ２０１は、インターネット接続装置に内蔵されたコマーシャルサーバから、電子装置に伝送されるコマーシャル情報を統計する。または、ステップ２０１は、遠隔地に設置されたコマーシャルサーバから、電子装置に伝送されるコマーシャル情報を統計してもよい。つまり、上記した特定のパラメータは内蔵または遠隔地に設置されたコマーシャルサーバにより統計することで、本考案の目的を達成することができるということである。
【００２２】
他の実施例において、ステップ２０１の実行が終了した後、コマーシャル情報を表示するためのステップを更に含んでいる。他の実施例において、ステップ２０１の実行が終了した後、ステップ２０２にてインターネットへの接続を実行する前に、実体的な証明書を生成するステップを更に含んでいる。
【００２３】
図３は、インターネット接続装置を介してインターネットに接続する電子装置にコマーシャル情報を送信するための、本考案におけるインターネット接続装置の他の動作実施例のフローチャートである。本実施例において、電子装置はまずインターネットに接続された後にようやく、インターネット接続装置からのコマーシャル送信装置からのコマーシャル情報を受け取ることができる。まず、ステップ３０１において、電子装置がインターネットに接続する許可状態を確認する。次に、ステップ３０２において、この許可状態に基づいて、電子装置にコマーシャル情報を伝送する。そしてステップ３０３において、予め設定された使用者の嗜好設定に基づいて、電子装置にコマーシャル情報を挿入する。なお、上記ステップの順序は単に実施例に過ぎず、本考案を限定するためのものではない。例えば、ステップ３０３はステップ３０２の前に実施してもよい。
【００２４】
詳細には、ステップ３０１にて電子装置が許可を取得済みでありかつインターネットに接続されていることを確認した後にようやく、電子装置にコマーシャル情報の伝送を開始するようにすることにより、インターネットへの接続が許可済みの電子装置にコマーシャルが正確に伝送される。さらに言えば、ステップ３０１は、インターネット接続装置に内蔵されたコマーシャルサーバから、電子装置に伝送されるコマーシャル情報を統計する。または、ステップ３０１は、遠隔地に設置されたコマーシャルサーバから、電子装置に伝送されるコマーシャル情報を統計してもよい。つまり、上記した特定のパラメータは内蔵のコマーシャルサーバまたは遠隔地に設置されたコマーシャルサーバのいずれにより統計しても、本考案の目的を達成することができるということである。
【００２５】
上記した各種フローチャートの実施例は、いずれも本考案のインターネット接続装置に適用することができる。上記から理解できるように、本考案はコマーシャル情報を再生して許可情報を生成することにより、使用者はインターネット接続権限を取得できるか、または、利用に供される実体のある証明書を取得すると同時に、本考案は電子装置がインターネットに接続する許可状態を確認するとともに、この許可状態に基づいて、電子装置にコマーシャル情報を伝送する。本考案は使用者の嗜好設定に基づいて、電子装置にコマーシャル情報を伝送するか、または特定の場所で、インターネット接続装置に備えられているディスプレイに直接コマーシャル情報を表示してもよい。したがって、本考案は、コマーシャル送信の効果を確保するとともに、インターネットに接続済みの電子装置にコマーシャル情報が正確に伝送される。
【００２６】
上記した実施例は本考案の実施形態を例示し、本考案の技術的特徴を説明するためのものに過ぎず、本考案の範疇を限定するためのものではない。当業者が容易に完成した改変または均等的なアレンジはいずれも本考案が主張する範囲に含まれるものであり、本考案の権利保護範囲は実用新案登録請求の範囲を基準と見なすべきである。
【図面の簡単な説明】
【００２７】
【図１】電子装置１１が本考案のインターネット接続装置１２を介してインターネット１３に接続される概略図である。
【図２】本考案におけるインターネット接続装置の動作実施例のフローチャートである。
【図３】本考案におけるインターネット接続装置の他の動作実施例のフローチャートである。
【符号の説明】
【００２８】
１１      電子装置
１２      インターネット接続装置
１３      インターネット
１４      コマーシャルサーバ
１２１    ゲート装置
１２２    コマーシャル送信装置
【図１】
0003139728.tif 000003
【図２】
0003139728.tif 000004
【図３】
0003139728.tif 000005